(57)【要約】【課題】非走査期間における表示品質の低下を効果的に改善する。【解決手段】液晶層を挟持する一方の基板１１の内面に、多数の画素電極１４をマトリクス状に形成し、その各画素電極１４間に互いに交差する走査信号線１５とデータ信号線１６と、走査信号線１５の走査信号によってオン・オフ制御され、オン時にその走査信号線１５と交差するデータ信号線１６の電圧を対応する画素電極１４に印加するＴＦＴ１７とを設け、他方の基板の内面に対向電極１８を形成したアクティブマトリクス型の液晶パネル１０を使用する。走査信号発生回路３０によって走査信号線１５に順次走査信号を印加して各画素電極１４を走査する走査期間後、次の走査期間までの非走査期間中、データ信号発生回路４０によって、各データ信号線１６と対向電極１８との間に液晶層の液晶分子が動き始める臨界電圧以上の電圧を印加する。【選択図】        図１
2008158244.tif 000002
【特許請求の範囲】
【請求項１】
液晶層を挟持する一方の基板の内面に、多数の画素電極をマトリクス状に形成するとともに、その各画素電極間にそれぞれ互いに交差する走査信号線とデータ信号線と、前記走査信号線の走査信号によってオン・オフ制御され、オン時に該走査信号線と交差する前記データ信号線の電圧を対応する前記画素電極に印加するスイッチング素子とを設け、他方の基板の内面に対向電極を形成したアクティブマトリクス型の液晶表示装置であって、
前記走査信号線に順次走査信号を印加して前記各画素電極を走査する走査期間後、次の走査期間までの非走査期間中、前記各データ信号線と前記対向電極との間に前記液晶層の液晶分子が動き始める臨界電圧以上の電圧を印加するようにしたことを特徴とする液晶表示装置。
【請求項２】
前記各データ信号線と前記対向電極との間に印加する電圧が、前記液晶層の液晶分子が動き始める臨界電圧から前記液晶分子が動き終わり安定する電圧までの間の所定電圧であることを特徴とする請求項１に記載の液晶表示装置。
【請求項３】
前記各データ信号線と前記対向電極との間に印加する電圧の極性が、前記非走査期間ごとに反転するようにしたことを特徴とする請求項１又は２に記載の液晶表示装置。
【請求項４】
請求項１から３のいずれか一項に記載の液晶表示装置であって、前記非走査期間ごとに異なる波長の複数色の発光を順次繰り返すバックライトを備え、フィールドシーケンシャルカラー方式でカラー表示を行うことを特徴とする液晶表示装置。
【発明の詳細な説明】
【技術分野】
【０００１】
この発明は、テレビやパーソナルコンピュータ、携帯電話やゲーム機など各種電子機器のディスプレイに使用されるアクティブマトリクス型の液晶表示装置に関する。
【背景技術】
【０００２】
現在、あらゆる電子機器等のディスプレイとして液晶表示装置が使用されているが、高精細化、高画質化、省電力化等を実現するために、スイッチング素子として薄膜トランジスタ（ＴＦＴ）を用いたアクティブマトリクス型の液晶パネルを有する液晶表示装置の開発が盛んである（例えば、特許文献１及び特許文献２を参照）。
【特許文献１】特開平６−３３７６５７号公報（図１、図２）
【特許文献２】特開２００３−１７３１７４号公報（図１、図２）
【０００３】
そのアクティブマトリクス型の液晶表示装置は、例えば図６及び図７に示すように、液晶層１３を挟持する一方の基板１１の内面に、多数の画素電極（表示電極）１４をマトリクス状に形成するとともに、その各画素電極１４間にそれぞれ互いに交差する走査信号線（ゲートライン）１５とデータ信号線（ソースライン）１６と、走査信号によってオン・オフ制御され、オン時にその走査信号線１５と交差するデータ信号線１６のデータ信号（電位）を対応する画素電極１４に印加するスイッチング素子であるＴＦＴ１７とを設け、他方の基板１２の内面全体に亘って対向電極（コモン電極）１８を形成したアクティブマトリクス型の液晶パネル１０を備えている。基板１１，１２のうち、少なくとも視認側の基板１２は透明基板であり、その内面に形成される対向電極１８も透明電極である。
【０００４】
走査信号線１５のいずれかが選択走査されると、その走査信号線１５にゲート電極Ｇが接続されたＴＦＴ１７が全てオンになり、その各ソース電極Ｓに接続されたデータ信号線１６からの表示データに応じた電位を各ドレイン電極Ｄに接続された画素電極１４に印加し、そのラインの各画素を表示させ、その各画素電極１４と対向電極１８との間の電位差（電圧）がその間の各画素容量に保持され、ＴＦＴ１７がオフなっても継続して各画素の表示がなされる。
【０００５】
その表示は、各画素電極１４と対向電極１８との間に保持される電位差によって生じる電界によって液晶層１３における各画素領域の液晶分子の配向状態が変化し、そこを通過する直線偏光の偏光方向を変化させるため、図７に示す各基板１１，１２のそれぞれ外側に設けた偏光板（偏光フィルム）１９Ａ，１９Ｂによる直線偏光作用とによって、視認側（図７で上方）から入射する光の反射光あるいは反対側（図７で下方）から入射する光の透過光の光量が変化し、それによって視認側から見た階調濃度が変化することによってなされる。
【０００６】
このような液晶表示装置における１本のデータ信号線１６におけるフレーム毎の表示データとデータ信号（電位）と走査信号との関係の一例を図９のタイミングチャート図に示す。
表示データはライン走査周期で変化し、その表示データに応じた電位Ｖｄのデータ信号がデータ信号線１６に印加される。それに同期して走査信号のパルス電圧が各ラインの走査信号線１５に順次印加され、そのラインのＴＦＴ１７がオンになって、交差するデータ信号線１６のデータ信号（電位Ｖｄ）がそのＴＦＴ１７に接続された画素電極１４に印加される。全てのデータ信号線１６及びそれに接続された各画素電極１４に対して、このような動作が平行して行われる。
【０００７】
１フレームの期間には、上記のように各走査信号線１５に走査信号（パルス電圧）を順次印加して各ラインを選択する走査期間Ｔｓの後に、次の走査期間Ｔｓまでの間の垂直ブランキング期間に相当する非走査期間Ｔｎが設けられている。
そして、一般にはこの非走査期間Ｔｎ中には、走査期間Ｔｓの最後の表示データと同じデータが画素間制御データとして保持され、そのデータに応じた電位Ｖｄのデータ信号をデータ信号線１６に印加し続けるようにしている。
また、各画素電極１４と対向電極１８との間の画素容量に残留電荷が蓄積されるのを防ぐため、図７に示した対向電極１８に印加する電位Ｖｃは、図９の下部に示すように１フレーム毎に２値的に変化し、データ信号の階調と電位Ｖｄとの関係も反転もする。それによって、各画素電極１４と対向電極１８との間の電位差により液晶層１３に印加される電圧の極性が１フレーム毎に反転するようにしている。
【０００８】
ところで、このような液晶表示装置において、図８に示すように対向電極１８と各画素電極１４との間の距離ｄは一定の設計値に製造され、その間の電圧は対向電極１８の電位と各画素電極１４に印加されるデータ信号の電位とによって正確に制御される。一方、各画素電極１４間のデータ信号線１６の電位も表示データに応じて変化するが、対向電極１８との距離ｄ′は距離ｄとは異なっているため発生する電界強度も相違し、しかも隣接する画素電極１４に保持されている電位との間で横電界Ｆｓが発生するため制御できない。そのため、各データ信号線１６と対向電極１８とが対向する部分では、液晶層１３の液晶分子の配向状態が乱れ、見苦しい表示状態になる。そこで、この領域は通常ブラックマトリクスを形成してマスクしている。
【０００９】
しかし、図９によって前述したように、各フィールド毎に走査期間Ｔｓの最後の表示データと同じデータが画素間制御データとして非走査期間Ｔｎ中保持され、そのデータに応じた電位のデータ信号をデータ信号線１６に印加し続けるようにすると、そのデータ信号線１６と対向電極１８との間にはランダムで直流的な電位差が生じ、そこに挟持されている液晶分子は、その電位差に応じて配向状態を変える。通常このようなＴＦＴに対する対向電極には、突き抜け電圧（ＴＦＴのゲートがオフになった時に画素電極の電位が低下する電圧）分をシフトした電圧を印加するので、画素間のデータ信号線１６との電位差には直流成分がのり、液晶分子の配向劣化が起きやすい。非走査期間Ｔｎは比較的長いので、それが画素領域にもはみ出して表示品質に影響するおそれがあった。
【００１０】
そこで、例えば前述した特許文献１に記載された発明では、非走査期間中は映像信号線（データ信号線）の電位を共通電極（対向電極）の電位と同電位にして、映像信号線と共通電極との間の電位差をなくし、その間容量に対する充放電による無駄な電力消費を抑えることが提案されている。このようにすれば、画素間の液晶層や界面にイオン性不純物の偏りが生じにくくなり、液晶分子の配向劣化しにくくなると思われる。
【００１１】
また、前述した特許文献２記載された発明では、各フィールド毎に対向電極の電位を反転する直前に、データ信号線の電位を対向電極の電位と同電位に保持固定して、対向電極との間の電荷を除去し、対向電極の電位を反転した後にフローティング状態にして映像信号の書き込みを可能にすることが提案されている。これによって、対向電極の電位が反転した際に、データ信号線の電位が対向電極との容量結合によって大きな電位に変化してしまうようなことがなくなり、データ信号線の電位が比較的低い電位で表示すべき階調に対応した電荷を画素容量に注入でき、消費電力を低減できると記載されている。
【発明の開示】
【発明が解決しようとする課題】
【００１２】
しかしながら、特許文献１に記載されているように、非走査期間中はデータ信号線と対向電極とを同電位にしてその間の電位差を無くしても、各データ信号線の電位と隣接する画素電極に保持されている電位との間で横電界が発生するため、その横電界によって液晶分子の配向状態が乱れ、その乱れが画素領域へ伝播するのも防げないため、非走査期間における表示品質の低下を効果的に改善することはできない。
また、特許文献２記載されているように、フィールドが変わる際の対向電極の電位が反転する直前に、データ信号線の電位を対向電極の電位と同電位に保持固定しても、非走査期間中の殆どではデータ信号線がフローティング状態になっているため、画素間の液晶層は制御されず、その液晶分子の配向方向は上記横電界などによって乱れ易く、その乱れが画素領域へ伝播するのも防げないため、やはり非走査期間における表示品質の低下を効果的に改善することはできない。
【００１３】
この発明は、上記のような従来のアクティブマトリクス型の液晶表示装置における問題を解決するためになされたものであり、非走査期間における表示品質の低下を効果的に改善することを目的とする。
【課題を解決するための手段】
【００１４】
この発明による液晶表示装置は、液晶層を挟持する一方の基板の内面に、多数の画素電極（表示電極）をマトリクス状に形成するとともに、その各画素電極間にそれぞれ互いに交差する走査信号線（ゲートライン）とデータ信号線（ソースライン）と、走査信号線の走査信号によってオン・オフ制御され、オン時に該走査信号線と交差するデータ信号線の電圧を対応する画素電極に印加するスイッチング素子とを設け、他方の基板の内面に対向電極を形成したアクティブマトリクス型の液晶表示装置であって、上記の目的を達成するため、上記走査信号線に順次走査信号を印加して上記各画素電極を走査する走査期間後、次の走査期間までの非走査期間中、上記各データ信号線と上記対向電極との間に上記液晶層の液晶分子が動き始める臨界電圧以上の電圧を印加するようにしたことを特徴とする。
【００１５】
上記各データ信号線と対向電極との間に印加する電圧は、上記液晶層の液晶分子が動き始める臨界電圧から液晶分子が動き終わり安定する電圧までの間の所定電圧であればよい。
上記各データ信号線と対向電極との間に印加する電圧の極性が、上記非走査期間ごとに反転するようにするのが望ましい。
これらの液晶表示装置は、上記非走査期間ごとに異なる波長の複数色の発光を順次繰り返すバックライトを備え、フィールドシーケンシャルカラー方式でカラー表示を行うことを液晶表示装置であってもよい。
【発明の効果】
【００１６】
この発明による液晶表示装置は、非走査期間中、各データ信号線と対向電極との間に液晶層の液晶分子が動き始める臨界電圧以上の電圧を印加するようにしたので、液晶分子をその電圧に応じた配向状態に非走査期間中固定し、乱れるの防止するとともに、データ信号線領域で多少の乱れがあってもそれが画素領域内へ伝播するのを阻止する。それによって、非走査期間における表示品質の低下を効果的に改善することことができる。
【発明を実施するための最良の形態】
【００１７】
以下、この発明を実施するための最良の形態を図面に基づいて具体的に説明する。
図１はこの発明による液晶表示装置の第１の実施形態を示すブロック構成図であり、図２はその動作を説明するための図９と同様なタイミングチャート図である。図１における液晶パネル１０自体は図６及び図７によって説明したものと同じであり、それらの図と対応する部分には同一の符号を付してあり、それらの詳細な説明は省略する。
なお、この液晶パネル１０は、説明を簡単にするために３×４画素のマトリクス構成にしているが、実際には必要な解像度と画面サイズに応じた画素数の画素電極１４が基板１１の内面上にマトリクス配列される。
【００１８】
この液晶表示装置は、各画素のスイッチング素子として薄膜トランジスタ（ＴＦＴ）１７を使用したアクティブマトリクス型の液晶パネル１０と、その各走査信号線１５に印加する走査信号を発生する走査信号発生回路３０と、各データ信号線１６に印加するデータ信号を発生するデータ信号発生回路４０と、対向電極１８に印加する電位を発生する対向電極電位発生回路５０と、それらを統括制御する制御回路２０とによって構成されている。
【００１９】
この液晶表示装置の動作を図２も参照して説明する。制御回路２０はデータ信号発生回路４０に１ライン走査毎に、１ラインの各画素の表示データ（階調データ）Ｄｄとそれを各データ信号線１６に対応するレジスタにセットするためのクロック信号ＣＫ１を出力する。データ信号発生回路４０は、各データ信号線１６に対応するレジスタにセットされた表示データＤｄによって、階調表示電位をマルチプレクサで選択して各データ信号線１６にデータ信号（階調表示電位）Ｖｄとして出力する。このデータ信号の表示階調と階調表示電位（レベル）との関係は、１フレーム毎に反転する。
【００２０】
制御回路２０は対向電極電位発生回路５０にフレーム切換信号ＦＳを出力する。対向電極電位発生回路５０は、２つの電位（例えば２Ｖと８Ｖ）の電位を生成しており、フレーム切換信号ＦＳが入力する毎にその２つの電位を切り換えて交互に対向電極電位Ｖｃとして出力し、対向電極１８に印加する。
制御回路２０は走査信号発生回路３０に走査期間を示す走査期間信号ＳＴと走査ラインを順次シフトするためのクロック信号ＣＫ２とを出力する。走査信号発生回路３０は、走査期間信号ＳＴがオンの間、所定のパルス幅の走査パルスを発生し、クロック信号ＣＫ２に応じて各走査信号線１５に順次その走査パルスを走査信号として印加する。
【００２１】
走査信号線１５に走査パルスが印加されると、液晶パネル１０において、そのラインの走査信号線１５にゲートが接続されたＴＦＴ１７が全てオンになり、その各ソース電極に接続されたデータ信号線１６に印加されているデータ信号（階調表示電位）Ｖｄがその各ＴＦＴ１７のドレイン電極に接続された画素電極１４に印加され、その各画素電極１４と対向電極１８との間の電位差（Ｖｄ−Ｖｃの電圧）がその間の各画素容量にチャージされ、ＴＦＴ１７がオフになってもその電圧が保持される。その電圧によって、各画素の画素電極１４と対向電極１８との間に挟持されている液晶層の液晶分子の配向状態が変化し、図７に示した偏光板１９Ａ，１９Ｂを透過する光の透過率が変化するため、各画素の階調表示がなされる。
【００２２】
この実施形態の液晶表示装置ではさらに、上述のように各走査信号線１５に順次走査信号（走査パルス）を印加して各画素電極１４を走査する走査期間Ｔｓの後、次の走査期間Ｔｓまでの非走査期間Ｔｎ中、制御回路２０はデータ信号発生回路４０に表示データＤｄとして図２に示すように画素間制御データを出力する。それによってデータ信号発生回路４０は、その画素間制御データに応じた画素間制御電位Ｖｓを発生して、全てのデータ信号線１６に印加する。
【００２３】
それによって、各データ信号線１６と対向電極１８との間にＶｓ−Ｖｃの電圧が印加される。画素間制御電位Ｖｓも２つの電位Ｖｓ１，Ｖｓ２があって、フレーム毎に対向電極１８の電位Ｖｃ（２つの電位Ｖｃ１とＶｃ２のいずれか）と反対のレベルに切り換わる。それによって、１フレーム毎に対向電極１８の電位Ｖｃとの大小関係が反転し、各データ信号線１６と対向電極１８との間の電圧Ｖｓ−Ｖｃの極性が１フレーム毎に反転することになる。２フレームの走査期間Ｔｓと非走査期間Ｔｎにおける画素間制御電位Ｖｓと対向電極の電位Ｖｃの関係のみを図３に示す。
【００２４】
ところで、ツイストネマチック液晶パネルのノーマリホワイトモードにおける液晶層に対する印加電圧（Ｖ）と液晶分子のティルト角（度）及び液晶パネルの光透過率との関係は、例えば図４の特性曲線図に示すようになっている。
液晶層に対する印加電圧（Ｖ）を０Ｖから徐々に増加していくと、液晶分子のティルト角が０度から徐々に大きくなっていき、最大で略９０度に達するが、ある電圧（図示の例では約２Ｖ）から急に大きくなり始める。この電圧を液晶分子が動き始める「臨界電圧」という。
【００２５】
一方、液晶パネルの光透過率は、印加電圧（Ｖ）が０Ｖの無印加状態では１００に近い。電圧が印加されてもその値が小さいうちは殆ど変化しないが、臨界電圧より大きいある電圧（図示の例では約３Ｖ）を超えると液晶分子の再配列が起こり、光透過率が急激に減少する。この電圧を「閾値電圧」という。
そこで、上述した液晶表示装置では、液晶パネル１０の非走査期間中に、各データ信号線１６と対向電極１８との間に液晶層の液晶分子が動き始める臨界電圧以上の電圧を印加して、液晶分子のティルト角（配向状態）を固定して乱れが生じないようにし、一部の乱れが画素領域に伝播しないように堰止めるようにする。
【００２６】
この印加電圧は、液晶層の液晶分子が動き始める臨界電圧から液晶分子が動き終わり安定する電圧までの間の所定電圧であれば有効であるが、閾値電圧以上が望ましく、その絶対値が大きい方がよい。例えば図４において液晶分子のティルト角が変わりきる８．０Ｖにするとよい。
例えば、対向電極１８の電位ＶｃがＶｃ１＝２Ｖ，  Ｖｃ２＝８Ｖである場合、画素間制御電位ＶｓをＶｓ１＝１０Ｖ，  Ｖｓ２＝０にすると、各データ信号線１６と対向電極１８との間の液晶層に印加される電圧Ｖｓ−Ｖｃは、Ｖｓ１−Ｖｃ１＝８Ｖ，  Ｖｓ２−Ｖｃ２＝−８Ｖとなり、極性は反転するが絶対値はいずれも８Ｖになるので、液晶分子は変わりきった状態で固定され、乱れが生じることはない。
しかし、この電圧は、液晶の種類や使用状態、電極間距離、その他種々の条件によって適正値が異なることは勿論である。液晶としては、ツイストネマチック（ＴＮ）液晶に限らず、スーパツイストネマチック（ＳＴＮ）液晶も使用できる。
【００２７】
次に、この発明による液晶表示装置の他の実施形態を図５によって説明する。図５はその液晶表示装置の液晶パネルにおける１画素分とその駆動回路の構成を示すブロック構成図である。この図５においても便宜上図１と対応する部分には同一の符号を付している。
走査信号発生回路３０は、各走査信号線１５ごとに、２入力のＡＮＤ回路３１とドライバ（２値増幅回路）３２の直列回路を備えている。走査期間中は図示しない制御回路（図１の制御回路２０に相当）から入力する走査期間信号ＳＴが“Ｈ”になり、それがＡＮＤ回路３１の一方の入力端子に入力する。また、内部で発生する走査パルスＳＰが図示しないシフト回路によって、制御回路からのクロック信号に同期して各走査信号線用のＡＮＤ回路３１の他方の入力端子に順次入力する。
【００２８】
したがって、走査期間中に走査パルスＳＰがＡＮＤ回路３１に入力されると、その間ＡＮＤ回路３１の出力が“Ｈ”になり、ドライバ回路３２の出力がハイレベルになってそれが走査信号線１５に印加される。それによって、その走査信号線１５にゲート電極Ｇが接続されている全てのＴＦＴ１７がオンになり、そのソース電極Ｓに接続されているデータ信号線１６にそのときデータ信号発生回路４０から印加されているデータ信号（階調表示電位）がＴＦＴ１７を通してそのドレイン電極Ｄに接続されている画素電極１４に印加され、図示を省略している対向電極との間の画素容量にその電位差が保持される。したがって、前述の実施形態の場合と同様に階調表示が行なわれる。
【００２９】
データ信号発生回路４０は、各データ信号線１６ごとに、マルチプレクサ４１と切換スイッチ４２とを備えている。制御回路からこのデータ信号発生回路４０内の図示していないレジスタに、表示データとしてこのデータ信号線に接続された画素電極１４用の階調データがセットされると、それがマルチプレクサ回路４１に入力され、マルチプレクサ回路４１は図示していない階調表示電位発生回路によって発生されている階調表示電位Ｖｄ１〜Ｖｄ６から入力された階調データに応じた電位を選択して、階調表示電位Ｖｄとして切換回路４２の固定接点ａに出力する。階調表示電位Ｖｄ１〜Ｖｄ６は、図４において光透過率が最低から最高に変化する間の印加電圧を表示階調数に応じて段階的に変化させために、対向電極との間に印加する各電位である。
【００３０】
その切換スイッチ４２はトランスミッションゲート等による電子スイッチ回路であり、走査信号発生回路３０からの走査期間信号ＳＴによって切り換え制御され、走査期間中は走査期間信号ＳＴが“Ｈ”になっているため、切換スイッチ４２は固定接点ａの電位をデータ信号線１６に出力するように切り換っている。
したがって、マルチプレクサ回路４１が出力する階調表示電位Ｖｄがデータ信号線１６に印加され、走査信号線１５に走査パルスＳＰが印加されてＴＦＴ１７がオンになった時に、その階調表示電位が表示電極１４に印加される。
【００３１】
各フレームの非走査期間になると、走査期間信号ＳＴが“Ｌ”になるため、切換スイッチ４２は固定接点ｂの電位をデータ信号線１６に出力するように切り換わる。その固定接点ｂには、図示していない内部回路によって画素間制御電位Ｖｓが生成されて印加されており、その画素間制御電位Ｖｓがデータ信号線１６に印加される。この非走査期間中はどの走査信号線１５にも走査パルスＳＰは印加されないため、全てのＴＦＴ１７はオフになっており、画素間制御電位Ｖｓが画素電極１４に印加されることはない。
そして、全てのデータ信号線１６にこの画素間制御電位Ｖｓが印加され、図示していない対向電極との間の電位差による電圧（前述した臨界電圧以上の電圧）がそこに挟持されている画素間の液晶層に印加され、その液晶分子の配向状態をその電圧に応じた状態に固定する。
【００３２】
画素間制御電位Ｖｓには、前述した対向電極の２種類の電位Ｖｃ１，Ｖｃ２と組合わせる２種類の電位Ｖｓ１，Ｖｓ２があり、フレーム毎にすなわち各非走査期間毎に、対向電極の電位と大小関係が反対になるように交互に出力される。例えば、前述の例と同様に、対向電極の電位Ｖｃが２Ｖのときは画素間制御電位Ｖｓを１０Ｖにし、対向電極の電位Ｖｃが８Ｖのときは画素間制御電位Ｖｓを０Ｖにすれば、各非走査期間中にデータ信号線１６と対向電極との間の液晶層に印加される電圧は常に８Ｖで、その極性が１フレーム毎に反転することになる。
【００３３】
このようにしても、前述の実施形態の場合と同様な効果が得られる。
なお、階調表示電位も同一階調に対して異なる２つの電位があり、フレーム毎に対向電極の電位に対する大小関係が反対になるように切り換えられる。
また、切換スイッチ４２を制御する走査期間信号は、図示していない制御回路から直接入力してもよい。
【００３４】
この発明は、モノクロ表示の液晶表示装置に限らず、カラーフィルタ型のカラー液晶表示装置あるいはカラーフィルタを使用しないフィールドシーケンシャルカラー（ＦＳＣ）方式のカラー液晶表示装置にも同様に適用できる。
ＦＳＣ方式の場合は、前述の非走査期間ごとに異なる波長の複数色（一般に赤、緑、青）の発光を順次繰り返すバックライトを備え、走査期間に各画素への色別階調表示電位の印加によって階調を制御して保持し、それを非走査期間にバックライトの発光色に応じて表示して、目の残像作用によって３フレームでカラーの１画面を表示する。したがって、各フレームの走査速度は、カラーフィルタ型の場合の３倍にする。
【００３５】
この場合、各フレームにの非走査期間おける画素間の液晶分子の配向乱れが発生して画素領域に影響を及ぼすと目立つため、表示画質が低下し易い。そこで、この発明を適用すれば、その液晶分子の配向乱れを防止することができ、表示画質の低下防止に極めて有効である。
【産業上の利用可能性】
【００３６】
この発明による液晶表示装置は、モノクロ表示の液晶表示装置、及びカラーフィルタ型
あるいはＦＳＣ方式のカラー液晶表示装置等の各種の液晶表示装置に適用できる。その液晶表示装置は、時計や携帯電話、携帯端末等の各種携帯機器、テレビ、パーソナルコンピュータ、ゲーム機、その他各種の電子機器など広範な機器の高画質なディスプレイとして利用できる。
【図面の簡単な説明】
【００３７】
【図１】この発明による液晶表示装置の第１の実施形態を示すブロック構成図である。
【図２】同じくその動作を説明するためのタイミングチャート図である。
【図３】図２における各データ信号線の電位と対向電極の電位との関係のみを示す図である。
【図４】ツイストネマチック液晶パネルのノーマリホワイトモードにおける特性例を示す特性曲線図である。
【図５】この発明による液晶表示装置の第２の実施形態の１画素分の構成を示すブロック構成図である。
【図６】ＴＦＴを用いたアクティブマトリクス型の液晶パネルにおける一方の基板側の構成例を示す部分的な平面図である。
【図７】図６のＸ−Ｘ線に沿う他方の基板側も含む部分的な断面図である。
【図８】同じくその表示電極及びデータ信号線と対向電極との関係を示す断面図である。
【図９】図６及び図７に示した液晶パネルを用いた従来の液晶表示装置の動作を説明するためのタイミングチャート図である。
【符号の説明】
【００３８】
１０：液晶パネル    １１，１２：基板    １３：液晶層    １４：表示電極
１５：走査信号線    １６：データ信号線    １７：ＴＦＴ（薄膜トランジスタ）
１８：対向電極    １９Ａ，１９Ｂ：偏光板（偏光フィルム）
２０：制御回路    ３０：走査信号発生回路    ３１：ＡＮＤ回路
３２：ドライバ（２値増幅回路）    ４０：データ信号発生回路    
４１：マルチプレクサ回路    ４２：切換スイッチ
Ｄｄ：表示データ    Ｖｄ：データ信号の電位    
Ｖｓ，Ｖｓ１，Ｖｓ２：画素間制御電位
Ｖｃ，Ｖｃ１，Ｖｃ２：対向電極の電位    
ＣＫ１：表示データシフト用クロックパルス
ＣＫ２：走査パルスシフト用クロックパルス
ＳＴ：走査期間信号      ＳＰ：走査パルス
【図１】
2008158244.tif 000003
【図２】
2008158244.tif 000004
【図３】
2008158244.tif 000005
【図４】
2008158244.tif 000006
【図５】
2008158244.tif 000007
【図６】
2008158244.tif 000008
【図７】
2008158244.tif 000009
【図８】
2008158244.tif 000010
【図９】
2008158244.tif 000011